(57)【要約】【課題】効率的なシステム情報取得を可能にする。【解決手段】移動局装置は、基地局装置から少なくとも１つのコンポーネントキャリアのシステム情報が変更されたことを示す情報を受信し、システム情報が変更されたコンポーネントキャリアからのデータ受信処理を停止していた場合、移動局装置は、コンポーネントキャリアからのデータ受信処理を開始して、システム情報を受信し、受信後、コンポーネントキャリアからのデータ受信処理を停止する。【選択図】図８
2011259336.tif 000002
【特許請求の範囲】
【請求項１】
基地局装置が移動局装置に複数のコンポーネントキャリアを設定し、前記基地局装置が前記移動局装置にコンポーネントキャリアの受信開始コマンドを送信することで前記移動局装置が前記受信開始コマンドで指示されたコンポーネントキャリアからのデータ受信処理を開始する無線通信システムであって、
前記基地局装置は、前記複数のコンポーネントキャリアの中で少なくとも１つのコンポーネントキャリアのシステム情報を変更した場合、前記コンポーネントキャリアのシステム情報の変更を示した情報を前記移動局装置に送信し、
前記移動局装置は、前記システム情報の変更を示した情報を受信し、前記システム情報が変更されたコンポーネントキャリアからのデータ受信処理を停止している場合、前記コンポーネントキャリアからのデータ受信処理を開始して、前記コンポーネントキャリアのシステム情報を受信することを特徴とする無線通信システム。
【請求項２】
請求項１記載の無線通信システムであって、
前記移動局装置は、前記システム情報を受信後、前記システム情報を取得したコンポーネントキャリアからのデータ受信処理を停止することを特徴とする無線通信システム。
【請求項３】
基地局装置から複数のコンポーネントキャリアが設定され、更に前記基地局装置からコンポーネントキャリアの受信開始コマンドを受信することで指示されたコンポーネントキャリアからのデータ受信を開始する移動局装置であって、
前記基地局装置から少なくとも１つのコンポーネントキャリアのシステム情報変更を示した情報を受信し、前記システム情報が変更されたコンポーネントキャリアからのデータ受信処理を停止している場合、前記コンポーネントキャリアからのデータ受信処理を開始して、前記システム情報を受信することを特徴とする移動局装置。
【請求項４】
請求項３記載の移動局装置であって、
前記システム情報を受信後、前記システム情報を取得したコンポーネントキャリアをからのデータ受信処理を停止することを特徴とする移動局装置。
【請求項５】
基地局装置が移動局装置に複数のコンポーネントキャリアを設定し、前記基地局装置が前記移動局装置にコンポーネントキャリアの受信開始コマンドを送信することで前記移動局装置が前記受信開始コマンドで指示されたコンポーネントキャリアからのデータ受信を開始する無線通信システムに適用される無線通信方法であって、
前記基地局装置は、前記複数のコンポーネントキャリアの中で少なくとも１つのコンポーネントキャリアのシステム情報を変更した場合、前記コンポーネントキャリアのシステム情報の変更を示した情報を前記移動局装置に送信するステップと、
前記移動局装置は、前記システム情報の変更を示した情報を受信し、前記システム情報が変更されたコンポーネントキャリアからのデータ受信処理を停止している場合、前記コンポーネントキャリアからのデータ受信処理を開始して、前記システム情報を受信するステップを少なくとも含むことを特徴とする無線通信方法。
【請求項６】
請求項５記載の無線通信方法であって、
前記移動局装置は、前記システム情報を受信後、前記システム情報を取得したコンポーネントキャリアからのデータ受信処理を停止するステップを含むことを特徴とする無線通信方法。
【請求項７】
基地局装置から複数のコンポーネントキャリアが設定され、更に前記基地局装置からコンポーネントキャリアの受信開始コマンドを受信することで指示されたコンポーネントキャリアからのデータ受信処理を開始する移動局装置に適用される集積回路であって、
前記基地局装置から少なくとも１つのコンポーネントキャリアのシステム情報変更を示した情報を受信し、前記システム情報が変更されたコンポーネントキャリアからのデータ受信処理を停止している場合、前記コンポーネントキャリアからのデータ受信処理を開始して、前記システム情報を受信する手段を有することを特徴とする集積回路。
【請求項８】
請求項７記載の集積回路であって、
前記移動局装置は、前記システム情報を受信後、前記システム情報を取得したコンポーネントキャリアからのデータ受信処理を停止する手段を有することを特徴とする集積回路。
【発明の詳細な説明】
【技術分野】
【０００１】
本発明は、移動局装置および無線通信システムに関連し、より詳細には、基地局装置からのシステム情報受信処理動作における移動局装置、無線通信システム、無線通信方法および集積回路に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡも標準化され、サービスが開始されている。
【０００３】
一方、３ＧＰＰでは、第三世代無線アクセスの進化（Evolved Universal Terrestrial Radio Access；以下、「EUTRA」と呼称する。）の標準化も行なわれている。ＥＵＴＲＡの下りリンクの通信方式として、マルチパス干渉に強く、高速伝送に適したＯＦＤＭ（Orthogonal Frequency Division Multiplexing）方式が採用されている。また、上りリンクの通信方式として、移動局装置のコストと消費電力を考慮し、送信信号のピーク電力対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式が採用されている。
【０００４】
また、３ＧＰＰでは、ＥＵＴＲＡの更なる進化のＡｄｖａｎｃｅｄ−ＥＵＴＲＡの議論も開始されている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。
【０００５】
Ａｄｖａｎｃｅｄ−ＥＵＴＲＡでは、ＥＵＴＲＡの移動局装置も収容できるようにＥＵＴＲＡの２０ＭＨｚの帯域を複数個束ねることで、１００ＭＨｚ帯域を実現することが考えられている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼ばれている（非特許文献１）。
【０００６】
Ａｄｖａｎｃｅｄ−ＥＵＴＲＡでは、複数のコンポーネントキャリアを持つため、各コンポーネントキャリアのシステム情報を管理する必要がある。そして、コンポーネントキャリアのシステム情報を変更した場合の移動局装置への通知方法として、いろいろな方法が提案されている。
【０００７】
非特許文献２では、基地局装置はコンポーネントキャリアのシステム情報を変更した場合、システム情報が変更されたされたことをページングチャネルで移動局装置に通知し、移動局装置は、変更されたシステム情報を取得する方法が提案されている。
【先行技術文献】
【非特許文献】
【０００８】
【非特許文献１】3GPP TR(Technical Specification)36.814、V1.00(2010-03)、Evolved Universal Terrestrial Radio Access(E-UTRA) Further advancements for E-UTRA physical layer aspects
【非特許文献２】R2-100394、Alcatel-Lucent、”Handling of System Information Change in Connected Mode”、3GPP RAN WG2 #68bis、Valencia、Spain、18-22 January、2010
【発明の概要】
【発明が解決しようとする課題】
【０００９】
しかしながら、非特許文献２で示されたように基地局装置がコンポーネントキャリアのシステム情報を変更し、システム情報を変更したことをページングチャネルで移動局装置に通知する場合、移動局装置がシステム情報の変更されたコンポーネントキャリアからのデータ受信処理を停止している場合、変更されたシステム情報を取得することができない。
【００１０】
本発明は、このような事情に鑑みてなされたものであり、コンポーネントキャリアのシステム情報取得に対して、効率の良いシステム情報の受信が可能な移動局装置、無線通信システム、無線通信方法及び集積回路を提供することを目的とする。
【課題を解決するための手段】
【００１１】
（１）上記の目的を達成するために、本発明は、以下のような手段を講じた。すなわち、本発明の無線通信システムは、基地局装置が移動局装置に複数のコンポーネントキャリアを設定し、前記基地局装置が前記移動局装置にコンポーネントキャリアの受信開始コマンドを送信することで前記移動局装置が前記受信開始コマンドで指示されたコンポーネントキャリアからのデータ受信処理を開始する無線通信システムであって、前記基地局装置は、前記複数のコンポーネントキャリアの中で少なくとも１つのコンポーネントキャリアのシステム情報を変更した場合、前記コンポーネントキャリアのシステム情報の変更を示した情報を前記移動局装置に送信し、前記移動局装置は、前記システム情報の変更を示した情報を受信し、前記システム情報が変更されたコンポーネントキャリアからのデータ受信処理を停止している場合、前記コンポーネントキャリアからのデータ受信処理を開始して、前記コンポーネントキャリアのシステム情報を受信することを特徴としている。
【００１２】
（２）また、本発明の無線通信システムにおいて、前記移動局装置は、前記システム情報を受信後、前記システム情報を取得したコンポーネントキャリアからのデータ受信処理を停止することを特徴としている。
【００１３】
（３）本発明の移動局装置は、基地局装置から複数のコンポーネントキャリアが設定され、更に前記基地局装置からコンポーネントキャリアの受信開始コマンドを受信することで指示されたコンポーネントキャリアからのデータ受信を開始する移動局装置であって、
前記基地局装置から少なくとも１つのコンポーネントキャリアのシステム情報変更を示した情報を受信し、前記システム情報が変更されたコンポーネントキャリアからのデータ受信処理を停止している場合、前記コンポーネントキャリアからのデータ受信処理を開始して、前記システム情報を受信することを特徴としている。
【００１４】
（４）また、本発明の移動局装置は、前記システム情報を受信後、前記システム情報を取得したコンポーネントキャリアをからのデータ受信処理を停止することを特徴としている。
【００１５】
（５）また、本発明の無線通信方法は、基地局装置が移動局装置に複数のコンポーネントキャリアを設定し、前記基地局装置が前記移動局装置にコンポーネントキャリアの受信開始コマンドを送信することで前記移動局装置が前記受信開始コマンドで指示されたコンポーネントキャリアからのデータ受信を開始する無線通信システムに適用される無線通信方法であって、前記基地局装置は、前記複数のコンポーネントキャリアの中で少なくとも１つのコンポーネントキャリアのシステム情報を変更した場合、前記コンポーネントキャリアのシステム情報の変更を示した情報を前記移動局装置に送信するステップと、
前記移動局装置は、前記システム情報の変更を示した情報を受信し、前記システム情報が変更されたコンポーネントキャリアからのデータ受信処理を停止している場合、前記コンポーネントキャリアからのデータ受信処理を開始して、前記システム情報を受信するステップを少なくとも含むことを特徴としている。
【００１６】
（６）また、本発明の無線通信方法は、前記移動局装置が、前記システム情報を受信後、前記システム情報を取得したコンポーネントキャリアからのデータ受信処理を停止するステップを少なくとも含むことを特徴としている。
【００１７】
（７）また、本発明の集積回路は、基地局装置から複数のコンポーネントキャリアが設定され、更に前記基地局装置からコンポーネントキャリアの受信開始コマンドを受信することで指示されたコンポーネントキャリアからのデータ受信処理を開始する移動局装置に適用される集積回路であって、前記基地局装置から少なくとも１つのコンポーネントキャリアのシステム情報変更を示した情報を受信し、前記システム情報が変更されたコンポーネントキャリアからのデータ受信処理を停止している場合、前記コンポーネントキャリアからのデータ受信処理を開始し、前記システム情報を受信する手段を有することを特徴としている。
【００１８】
（８）また、本発明の集積回路は、前記移動局装置が、前記システム情報を受信後、前記システム情報を取得したコンポーネントキャリアからのデータ受信処理を停止する手段を有することを特徴としている。
【発明の効果】
【００１９】
本発明によれば、コンポーネントキャリアからのデータ受信処理を停止している場合であっても、効率の良いシステム情報取得処理ができる。
【図面の簡単な説明】
【００２０】
【図１】ＥＵＴＲＡにおける物理チャネル構成を示す図である。
【図２】ＥＵＴＲＡにおける下りリンクの物理チャネル構成を示す図である。
【図３】下りリンクのチャネル構成を示す図である。
【図４】Ａｄｖａｎｃｅｄ−ＥＵＴＲＡにおける下りリンクのコンポーネントキャリアについての説明図である。
【図５】コンポーネントキャリアの設定手順を示す図である。
【図６】本発明の実施形態に係る移動局装置の構成を示す図である。
【図７】本発明の実施形態に係る基地局装置の構成を示す図である。
【図８】本発明の実施形態に係る移動局装置の動作例を示すフローチャートである。
【発明を実施するための形態】
【００２１】
ＥＵＴＲＡの下りリンクとして、ＯＦＤＭ方式が採用されている。また、ＥＵＴＲＡの上りリンクとして、ＤＦＴ−ｓｐｒｅａｄ  ＯＦＤＭ方式のシングルキャリア通信方式が採用されている。
【００２２】
図１は、ＥＵＴＲＡの物理チャネル構成を示す図である。下りリンクの物理チャネルは、物理下りリンク共用チャネルＰＤＳＣＨ（Physical Downlink Shared Channel）、物理下りリンク制御チャネルＰＤＣＣＨ（Physical Downlink Control Channel）、物理報知チャネルＰＢＣＨ（Physical Broadcast Channel）により構成されている。この他に下りリンク同期信号、下りリンク参照信号の物理信号がある。
【００２３】
物理下りリンク制御チャネルＰＤＣＣＨでは、移動局装置への物理下りリンク共用チャネルＰＤＳＣＨや物理上りリンク共用チャネルＰＵＳＣＨの割り当て情報などが送信される。物理下りリンク共用チャネルＰＤＳＣＨでは、移動局装置へのユーザーデータや制御データが送信される。物理報知チャネルＰＢＣＨは、システム帯域の中心に４０ミリ秒間隔で配置され、コンポーネントキャリアのシステム情報が送信される。尚、システム情報は、物理報知チャネルＰＢＣＨの以外に物理下りリンク共用チャネルＰＤＳＣＨでも送信される。
【００２４】
ＥＵＴＲＡの上りリンクは、物理ランダムアクセスチャネルＲＡＣＨ（Random Access Channel）、物理上りリンク共用チャネルＰＵＳＣＨ（Physical Uplink Shared Channel）、物理上りリンク制御チャネルＰＵＣＣＨ（Physical Uplink Control Channel）により構成されている。
【００２５】
図２は、ＥＵＴＲＡの下りリンクの物理チャネル構成を示す図である。図２において、１ブロックは、１２本のサブキャリアと７つのＯＦＤＭシンボルから構成される。そして、２つのブロックを使用して、１つのリソースブロックを構成する。１つのリソースブロックの時間領域をサブフレームと言い、１０個のサブフレームで１つのフレームを構成する。物理下りリンク制御チャネルＰＤＣＣＨは、各サブフレームの先頭の１〜３個のＯＦＤＭシンボルに配置され、残りのＯＦＤＭシンボルに物理下りリンク共用チャネルＰＤＳＣＨが配置される。
【００２６】
下りリンクのリソース割り当ては、時間方向にサブフレーム単位かつ周波数方向にリソースブロック単位で行われる。すなわち、サブフレーム内の２つのブロックは、一つのリソース割り当て信号で割り当てられる。
【００２７】
図３は、ＥＵＴＲＡの下りリンクのチャネルの構成を示す図である。図３に示す下りリンクのチャネルは、それぞれ論理チャネル、トランスポートチャネル、物理チャネルから構成されている。論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。
【００２８】
下りリンクの論理チャネルには、報知制御チャネル（ＢＣＣＨ：Broadcast Control Channel）、ページング制御チャネル（ＰＣＣＨ：Paging Control Channel）、共通制御チャネル（ＣＣＣＨ：Common Control Channel）、専用制御チャネル（ＤＣＣＨ：Dedicated Control Channel）、専用トラフィックチャネル（ＤＴＣＨ：Dedicated Traffic Channel）が含まれる。
【００２９】
下りリンクのトランスポートチャネルには、報知チャネル（ＢＣＨ：Broadcast Channel）、ページングチャネル（ＰＣＨ：Paging Channel）、下りリンク共用チャネル（ＤＬ−ＳＣＨ：Downlink Shared Channel）が含まれる。
【００３０】
下りリンクの物理チャネルには、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）が含まれる。これらのチャネルは、基地局装置と移動局装置の間で送受信される。
【００３１】
次に、論理チャネルについて説明する。報知制御チャネル（ＢＣＣＨ）は、システム制御情報を報知するために使用される下りリンクチャネルである。ページング制御チャネル（ＰＣＣＨ）は、ページング情報を送信するために使用される下りリンクチャネルであり、ネットワークが移動局装置のセル位置を知らないときに使用される。共通制御チャネル（ＣＣＣＨ）は、移動局装置とネットワーク間の制御情報を送信するために使用されるチャネルであり、ネットワークと無線リソース制御（ＲＲＣ：Radio Resource Control）接続を有していない移動局装置によって使用される。
【００３２】
専用制御チャネル（ＤＣＣＨ）は、１対１（point-to-point）の双方向チャネルであり、移動局装置とネットワーク間で個別の制御情報を送信するために利用するチャネルである。専用制御チャネル（ＤＣＣＨ）は、ＲＲＣ接続を有している移動局装置によって使用される。専用トラフィックチャネル（ＤＴＣＨ）は、１対１の双方向チャネルであり、１つの移動局装置専用のチャネルであって、ユーザー情報（ユニキャストデータ）の転送のために利用される。
【００３３】
次に、トランスポートチャネルについて説明する。報知チャネル（ＢＣＨ）は、固定かつ事前に定義された送信形式によって、セル全体に報知される。下りリンク共用チャネル（ＤＬ−ＳＣＨ）では、ＨＡＲＱ（Hybrid Automatic Repeat Request：ハイブリッド自動再送要求）、動的適応無線リンク制御、間欠受信（ＤＲＸ：Discontinuous Reception）、がサポートされ、セル全体に報知される必要がある。
【００３４】
ページングチャネル（ＰＣＨ）では、ＤＲＸがサポートされ、セル全体に報知される必要がある。また、ページングチャネル（ＰＣＨ）は、トラフィックチャネルや他の制御チャネルに対して動的に使用される物理リソース、すなわち物理下りリンク共用チャネル（ＰＤＳＣＨ）、にマッピングされる。
【００３５】
次に、物理チャネルについて説明する。物理報知チャネル（ＰＢＣＨ）は、４０ミリ秒間隔で報知チャネル（ＢＣＨ）をマッピングする。物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ）情報、および、物理上りリンク共用チャネル（ＰＵＳＣＨ）のリソース割り当てである上りリンク送信許可（上りリンクグラント）を移動局装置に通知するために使用されるチャネルである。物理下りリンク共用チャネル（ＰＤＳＣＨ）は、下りリンクデータまたはページング情報を送信するために使用されるチャネルである。
【００３６】
次に、チャネルマッピングについて説明する。図３に示されるように、下りリンクでは、次のようにトランスポートチャネルと物理チャネルのマッピングが行われる。報知チャネル（ＢＣＨ）は、物理報知チャネル（ＰＢＣＨ）にマッピングされる。ページングチャネル（ＰＣＨ）および下りリンク共用チャネル（ＤＬ−ＳＣＨ）は、物理下りリンク共用チャネル（ＰＤＳＣＨ）にマッピングされる。物理下りリンク制御チャネル（ＰＤＣＣＨ）は、物理チャネル単独で使用される。
【００３７】
また、下りリンクにおいて、次のように論理チャネルとトランスポートチャネルのマッピングが行われる。ページング制御チャネル（ＰＣＣＨ）は、ページングチャネル（ＰＣＨ）にマッピングされる。報知制御チャネル（ＢＣＣＨ）は、報知チャネル（ＢＣＨ）と下りリンク共用チャネル（ＤＬ−ＳＣＨ）にマッピングされる。共通制御チャネル（ＣＣＣＨ）、専用制御チャネル（ＤＣＣＨ）、専用トラフィックチャネル（ＤＴＣＨ）は、下りリンク共用チャネル（ＤＬ−ＳＣＨ）にマッピングされる。
【００３８】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献１）。図４は、Ａｄｖａｎｃｅｄ−ＥＵＴＲＡにおける下りリンクのコンポーネントキャリアについての説明図である。
【００３９】
基地局装置は、複数あるコンポーネントキャリアの中から移動局装置の通信能力や通信条件にあった１つ以上のコンポーネントキャリアを割り当て、移動局装置は割り当てられたコンポーネントキャリアでデータの送受信を行なう。
【００４０】
コンポーネントキャリアの設定手順を説明する。図５は、コンポーネントキャリアの設定手順を示す図である。まず、移動局装置は、セル選択やセル再選択処理によって、基地局装置の下りリンク同期信号を取得し、下りリンクの同期処理を行い、移動局装置は、基地局装置の物理報知チャネルＰＢＣＨや物理下りリンク共用チャネルＰＤＳＣＨを受信して、報知制御チャネル（ＢＣＣＨ）で通知される基地局装置のシステム情報（帯域幅、リソースブロック数、送信電力情報や各物理チャネル構成などの制御情報）を取得する。
【００４１】
その後、基地局装置と接続処理を行い、通信状態を確立する。この接続処理中に基地局装置は、移動局装置に利用させるコンポーネントキャリアを設定する（ステップＳ１）。この時、基地局装置は、設定したコンポーネントキャリアのシステム情報も移動局装置個別に通知する（ステップＳ２）。尚、この時点では、移動局装置は、設定されたコンポーネントキャリアからのデータ受信処理を行なわない。コンポーネントキャリア設定は、接続開始時だけでなく、通信中にも基地局装置が行なうことができる。
【００４２】
この後、基地局装置は、コンポーネントキャリア単位にコンポーネントキャリア受信開始コマンドを移動局装置に送信する（ステップＳ３）。移動局装置は、このコンポーネントキャリア受信開始コマンドを受信してから指定された各コンポーネントキャリアからのデータ受信処理を開始する。そして、基地局装置は、使用しなくなったコンポーネントキャリアに対してコンポーネントキャリア受信停止コマンドを送信し、移動局装置は指定されたコンポーネントキャリアからのデータ受信処理を停止する（ステップＳ４）。
【００４３】
非特許文献２では、基地局装置はコンポーネントキャリアのシステム情報を変更した場合、システム情報が変更されたされたことをページングチャネルＰＣＨで移動局装置に通知し、移動局装置は、変更されたシステム情報を取得する方法が提案されている。
【００４４】
（実施形態１）
[構成説明]
図６は、本発明の実施形態に係る移動局装置の構成を示す図である。移動局装置１−１〜１−３は、無線部１０１、送信処理部１０３−１〜１０３−３、受信処理部１０５−１〜１０５−３、送信データ制御部１０７、制御データ抽出部１０９、制御部１１１、スケジューリング部１１３（移動局装置側スケジューリング部）から構成される。スケジューリング部１１３は、ＵＬスケジューリング部１１５、制御データ作成部１１７、ＣＣ管理部１１９、制御データ解析部１２１から構成される。尚、本実施例では、コンポーネントキャリアが３つある場合の例を示している為、送信処理部、受信処理部を３個ずつ持つ構成にしている。
【００４５】
ユーザーデータ及び制御データは送信データ制御部１０７に入力さる。送信データ制御部１０７は、制御部１１１の指示により、各データを各コンポーネントキャリアの各物理チャネルに配置し、送信処理部１０３−１〜１０３−３に出力する。送信処理部１０３−１〜１０３−３は、制御部１１１の指示により、送信データ制御部１０７から入力されたデータに変調・符号化を行なう。送信処理部１０３−１〜１０３−３は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、無線部１０１に出力する。無線部１０１は、制御部１１１から指示された送信電力に調整して入力されたデータを無線周波数にアップコンバートし、送受信アンテナからデータを送信する。
【００４６】
無線部１０１は、送受信アンテナより受信した無線信号をダウンコンバートし、受信処理信部１０５−１〜１０５−３に出力する。受信処理部１０５−１〜１０５−３は、制御部１１１からの指示により無線部１０１からの信号をＦＦＴ（Fast Fourier Transform（高速フーリエ変換））処理、復号化、復調処理等を行ない、復調したデータを制御データ抽出部１０９に出力する。
【００４７】
制御データ抽出部１０９は、各コンポーネントキャリアの物理下りリンク制御チャネルＰＤＣＣＨに配置されている移動局装置識別情報や移動局装置間で共通識別情報（例えば、ページングチャネルＰＣＨやシステム情報示した識別情報など）を確認し、自移動局装置宛のデータかどうか判別し、自移動局装置宛のデータの場合、受信処理部１０５で処理された物理下りリンク共用チャネルＰＤＳＣＨのデータを制御データとユーザーデータに分ける。そして、制御データ抽出部１０９は、制御データをスケジューリング部１１３に渡し、ユーザーデータを上位層に渡す。また、制御データ抽出部１０９は、移動局装置間で共通の制御情報（例えば、ページングチャネルＰＣＨやシステム情報示した識別情報など）をスケジューリング部１１３に渡す。その他、制御データ抽出部１０９は、受信したデータに対する受信結果をスケジューリング部１１３に渡す。制御部１１１は、スケジューリング部１１３からの指示に基づいて、無線部１０１、送信処理部１０３−１〜１０３−３、受信処理部１０５−１〜１０５−３、送信データ制御部１０７および制御データ抽出部１０９の制御を行う。
【００４８】
スケジューリング部１１３は、ＵＬスケジューリング部１１５、制御データ作成部１１７、ＣＣ管理部１１９、制御データ解析部１２１から構成される。制御データ作成部１１７は、制御データを作成する。制御データ作成部１１７は、制御データ抽出部１０９からのデータの受信結果から下りリンクのデータの応答（ＡＣＫ／ＮＡＣＫ）や下りリンク無線伝搬路情報（ＣＱＩ）などの制御データを作成する。制御データ解析部１２１は、制御データ抽出部１０９からの制御データを解析し、上りリンクデータのスケジューリング情報をＵＬスケジューリング部１１５に出力し、各コンポーネントキャリアのシステム情報やコンポーネントキャリアのシステム情報の変更情報をＣＣ管理部１１９に出力する。
【００４９】
ＵＬスケジューリング部１１５は、上位層からの指示や上りリンクデータのスケジューリング情報をもとに上りリンクのスケジューリングやデータ送信に必要な送信電力を計算し、スケジューリング結果を制御部１１１に出力する。ＣＣ管理部１１９は、基地局装置３から設定されたコンポーネントキャリアを管理する。ＣＣ管理部１１９は、設定されたコンポーネントキャリアのシステム情報を管理し、また、各コンポーネントキャリアの送受信状態を管理する。基地局装置３からあるコンポーネントキャリアの受信開始コマンドを受信した場合、受信処理部１０３−１〜１０３−３のいずれかを動作させ、無線部１０１に受信周波数等を設定するなどを制御部１１１に指示する。また、基地局装置３からあるコンポーネントキャリアの受信停止コマンドを受信した場合、受信処理部１０３−１〜１０３−３のいずれかを停止するなどを制御部１１１に指示する。また、基地局装置３からコンポーネントキャリアのシステム情報の変更情報を受信した場合、コンポーネントキャリアの送受信状態を確認してからシステム情報を取得するように制御部１１１に指示する。例えば、移動局装置１−１が、システム情報の変更されたコンポーネントキャリアからのデータ受信処理を停止している場合は、対応するコンポーネントキャリアの受信処理部１０３−１〜１０３−３のいずれかを動作させるように制御部１１１に指示する。
【００５０】
図７は、本発明の実施形態に係る基地局装置３の構成図を示す。基地局装置３は、無線部２０１、送信処理部２０３−１〜２０３−３、受信処理部２０５−１〜２０５−３、送信データ制御部２０７、制御データ抽出部２０９、制御部２１１、スケジューリング部２１３（基地局装置側スケジューリング部）から構成される。スケジューリング部２１３は、ＤＬスケジューリング部２１５、ＵＬスケジューリング部２１７、制御データ作成部２１９ＣＣ管理部２２１から構成される。尚、本実施例では、コンポーネントキャリアが３つある場合の例を示している為、送信処理部、受信処理部を３個ずつ持つ構成にしている。
【００５１】
送信データ制御部２０７は、ユーザーデータと制御データを制御部２１１からの指示により制御データを各コンポーネントキャリアの物理下りリンク制御チャネルＰＤＣＣＨ、物理報知チャネルＰＢＣＨ、物理下りリンク共用チャネルＰＤＳＣＨにマッピングし、各移動局装置１−１〜１−３に対する送信データを物理下りリンク共用チャネルＰＤＳＣＨにマッピングする。
【００５２】
送信処理部２０３−１〜２０３−３は、制御部２１１からの指示により、送信データ制御部２０７からの入力データに対して、符号化、データ変調、入力信号の直列／並列変換し、ＩＦＦＴ変換、ＣＰ挿入、フィルタリングなどＯＦＤＭ信号処理を行ない、ＯＦＤＭ信号を生成し、無線部２０１に出力する。無線部２０１は、制御部２１１からの指示によりＯＦＤＭ変調されたデータを無線周波数にアップコンバートして、移動局装置１−１に送信する。また、無線部２０１は、移動局装置１−１からの上りリンクのデータを受信し、ベースバンド信号にダウンコンバートして、受信データを受信処理部２０５−１〜２０５−３に出力する。受信処理部２０５−１〜２０５−３は、制御部２１１からの上りリンクのスケジューリング情報から移動局装置１−１で行なった送信処理を考慮して復調処理を行ない、データの復調をする。尚、上りリンクの通信方式は、ＤＦＴ−ｓｐｒｅａｄ  ＯＦＤＭ等のようなシングルキャリア方式を想定しているが、ＯＦＤＭ方式のようなマルチキャリア方式でもかまわない。
【００５３】
制御データ抽出部２０９では、制御部２１１からの指示により、受信データの正誤を確認し、確認結果をスケジューリング部２１３に通知する。受信データが正しい場合、受信データをユーザーデータと制御データに分離する。制御部２１１は、スケジューリング部２１３からのスケジューリング結果に基づいて、無線部２０１、送信処理部２０３−１〜２０３−３、受信処理部２０５−１〜２０５−３、送信データ制御部２０７および制御データ抽出部２０９の制御を行う。
【００５４】
スケジューリング部２１３は、下りリンクのスケジューリングを行なうＤＬスケジューリング部２１５と上りリンクのスケジューリングを行なうＵＬスケジューリング部２１７、制御データ作成部２１９、ＣＣ管理部から構成される。
【００５５】
ＤＬスケジューリング部２１５は移動局装置１−１から通知される下りリンクの無線伝搬路情報や上位層からの通知される各ユーザーのデータ情報や制御データ作成部２１９で作成される制御データから下りリンクの各チャネルにユーザーデータおよび制御データをマッピングする為のスケジューリングを行ない、スケジューリング結果を制御データ作成部２１９と制御部２１１に出力する。
【００５６】
ＵＬスケジューリング部２１７は、受信処理部２０５−１〜２０５−３からの上りリンクの無線伝搬路推定結果と各移動局装置からの無線リソース割り当て要求から物理上りリンク共用チャネルＰＵＳＣＨにユーザーデータのスケジューリングを行なう。そして、スケジューリング結果を制御データ作成部２１９と制御部２１１に出力する。
【００５７】
制御データ作成部２１９は、ＤＬスケジューリング部２１５およびＵＬスケジューリング部２１７からのスケジューリング結果をもとに物理下りリンク制御チャネルＰＤＣＣＨに配置される制御データや物理下りリンク共用チャネルＰＤＳＣＨに配置される制御データを作成する。スケジューリング情報を含んだ制御メッセージ、上りリンクデータの応答（ＡＣＫ／ＮＡＣＫ）、コンポーネントキャリア設定メッセージ、コンポーネントキャリアの受信開始／停止メッセージ、物理報知チャネルＰＢＣＨや下りリンク共用チャネルＰＤＳＣＨで送信する各コンポーネントキャリアのシステム情報などの制御データを作成する。また、システム情報が変更になった場合、システム情報が変更したメッセージを作成する。そして、作成した制御データを送信データ制御部２０７に出力する。
【００５８】
ＣＣ管理部２２１は、各コンポーネントキャリアのシステム情報を管理する。ＣＣ管理部は、上位層からの各移動局装置のデータ情報からシステム負荷などの計算を行い、必要に応じて、各コンポーネントキャリアの物理チャネルの構成等を変更し、システム情報の変更を行なう。そして、各ＣＣ管理部２２１は、システム情報を変更した場合は、変更情報を制御データ作成部２１９に出力する。また、各ＣＣ管理部２２１は、移動局装置１−１に必要なコンポーネントキャリアを割り当て行い、コンポーネントキャリア設定情報や移動局装置１−１のコンポーネントキャリアの受信開始／停止情報を制御データ作成部２１９に出力する。
【００５９】
[動作説明]
図１〜５で説明したような無線通信システムを想定する。そして、図１が示すように、基地局装置３−１と、複数の移動局装置１−１、１−２、１−３とが通信を行なう。また、図４で説明した基地局装置と移動局装置が１つ以上のコンポーネントキャリアを使用して通信を行なうような無線通信システムも想定している。
【００６０】
基地局装置は、コンポーネントキャリアのシステム情報を変更した場合、基地局装置はシステム情報を変更したことをページングチャネルＰＣＨで移動局装置に通知し、移動局装置は、ページングチャネルＰＣＨでシステム情報の変更を認識して、変更されたシステム情報を取得する方法が提案されている。しかし、移動局装置に設定されたコンポーネントキャリアは受信開始コマンドを受信してからでないとデータの受信処理を行えない。移動局装置は、基地局装置からシステム情報の変更情報を受信しても、データの受信処理を停止しているコンポーネントキャリアの場合、システム情報を取得できない。
【００６１】
本実施形態では、基地局装置はコンポーネントキャリアのシステム情報を変更し、システム情報を変更したことをページングチャネルＰＣＨで移動局装置に通知した場合、移動局装置は、システム情報が変更されたコンポーネントキャリアからの受信状態を確認し、システム情報が変更されたコンポーネントキャリアからのデータ受信処理を停止している場合、そのコンポーネントキャリアからのデータ受信処理を開始して、変更されたシステム情報を取得する。そして、移動局装置は、システム情報を取得後、コンポーネントキャリアからのデータ受信処理を停止する。このようにすることで、システム情報が変更なり、システム情報が変更になったコンポーネントキャリアに対しても、移動局装置はシステム情報を受信することができるようになる。
【００６２】
基地局装置３と移動局装置１−１の動作を説明する。
移動局装置１−１は、電源立ち上げ時、セル選択を行い基地局装置３の１つのコンポーネントキャリアの下りリンク同期信号を取得し、下りリンクの同期処理を行う。移動局装置１−１は、基地局装置３の下りリンク同期したコンポーネントキャリアの物理報知チャネルＰＢＣＨや物理下りリンク共用チャネルＰＤＳＣＨを受信して、報知制御チャネル（ＢＣＣＨ）で通知される基地局装置のシステム情報（帯域幅、リソースブロック数、送信電力情報や各物理チャネル構成などの制御情報）を取得する。取得したシステム情報を使用して物理ランダムアクセスＰＲＡＣＨにアクセスし、基地局装置３と接続処理を行い、通信状態を確立する。
【００６３】
接続処理中に基地局装置３は、移動局装置１−１に利用させるコンポーネントキャリアを設定する。そして、基地局装置３は、設定したコンポーネントキャリアのシステム情報も移動局装置１−１に通知する。尚、この時点では、移動局装置１−１は、接続処理に使用したコンポーネントキャリア以外の設定されたコンポーネントキャリアの受信処理を行なわない。その後、基地局装置３と移動局装置１−１の間で通信が行なわれ、移動局装置１−１で受信されるデータ量に応じて、基地局装置３は、設定したコンポーネントキャリアの受信開始、また、送受信停止を移動局装置１−１に指示する。移動局装置１−１は、指示されたコンポーネントキャリアからデータ受信を行なう。
【００６４】
基地局装置３は、通信している複数の移動局装置全体のデータトラフィック量が増加したり、逆に、データトラフィック量が低下したりして通信状況が変化すると、基地局装置３は、コンポーネントキャリア毎に物理チャネルの構成などのシステム変更を行う。その場合、基地局装置３は、各コンポーネントキャリアの報知制御チャネル（ＢＣＣＨ）で報知しているシステム情報を変更する。そして、基地局装置３は、ページングチャネルＰＣＨにシステム情報を変更したことを示す情報を含めて、基地局装置３の通信範囲内の移動局装置に通知する。移動局装置１−１は、ページングチャネルＰＣＨを受信し、システム情報が変更されたことを認識すると、コンポーネントキャリアからの受信処理状態を考慮してシステム情報取得処理を行う。詳細は以下に示す。
【００６５】
図８は、本発明の実施形態に係る基地局装置３によりシステム情報が変更された場合の移動局装置１−１の動作例を示すフローチャートである。基地局装置３−１は、移動局装置１−１に複数のコンポーネントキャリアを設定して、１つ以上のコンポーネントキャリアを用いて、通信している。移動局装置１−１は、移動局装置識別情報や移動局装置間で共通識別情報を受信するために、下りリンク制御チャネルＰＤＣＣＨをモニタリングしている。
【００６６】
基地局装置３−１は、システム情報を変更し、ページングチャネルＰＣＨにシステム情報を変更した情報を含めて、移動局装置１−１に通知する。移動局装置１−１は、下りリンク制御チャネルＰＤＣＣＨでページングチャネルＰＣＨの割り当てを示した識別情報を受信する。移動局装置１−１は、ページングチャネルＰＣＨの割り当てを示した識別情報からページングチャネルＰＣＨの位置を把握し、ページングチャネルＰＣＨを受信する（ステップＳ１０１）。移動局装置１−１は、ページングチャネルＰＣＨの情報内にシステム情報の変更情報があるかどうか確認する（ステップＳ１０２）。移動局装置１−１は、システム情報の変更情報があった場合、システム情報の変更があったコンポーネントキャリアからの受信処理動作状態を確認する（ステップＳ１０３）。
【００６７】
システム情報が更新されたコンポーネントキャリアからデータ受信処理を行っている場合、移動局装置１−１は、物理報知チャネルＰＢＣＨをとシステム情報が含まれる物理下りリンク共用チャネルＰＤＳＣＨを受信して、システム情報を取得する。そして、移動局装置１−１は、取得したシステム情報に更新する（ステップＳ１０４）。システム情報が更新されたコンポーネントキャリアからのデータ受信処理を停止している場合、移動局装置１−１は、そのコンポーネントからのデータ受信処理を開始する（ステップＳ１０５）。移動局装置１−１は、物理報知チャネルＰＢＣＨをとシステム情報が含まれる物理下りリンク共用チャネルＰＤＳＣＨを受信して、システム情報を取得する。そして、移動局装置１−１は、取得したシステム情報に更新する（ステップＳ１０６）。システム情報の取得後、移動局装置１−１は、システム情報を受信するためにデータ受信処理を開始したコンポーネントキャリアからのデータ受信処理を停止する（ステップＳ１０７）。
【００６８】
尚、システム情報を取得するために移動局装置１−１がデータ受信処理を停止していたコンポーネントキャリアからのデータ受信処理を開始した場合において、システム情報受信中に基地局装置３からそのコンポーネントキャリアの受信開始コマンドを受信した場合、システム情報受信後においてもデータ受信処理を継続する。尚、ページングチャネルＰＣＨにシステム情報の変更情報がない場合、システム情報取得処理は行わない。
【００６９】
このようにすることで、システム情報が変更なり、システム情報が変更になったコンポーネントキャリアに対しても、移動局装置はシステム情報を効率的に受信することができるようになる。
【００７０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００７１】
また、説明の便宜上、実施形態の移動局装置１−１及び基地局装置３を機能的なブロック図を用いて説明したが、移動局装置１−１及び基地局装置３の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【００７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【００７３】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【００７４】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【００７５】
１−１〜１−３  移動局装置
３              基地局装置
１０１、２０１  無線部
１０３、２０３  送信処理部
１０５、２０５  受信処理部
１０７、２０７  送信データ制御部
１０９、２０９  制御データ抽出部  
１１１、２１１  制御部
１１３、２１３  スケジューリング部
【図１】
2011259336.tif 000003
【図２】
2011259336.tif 000004
【図３】
2011259336.tif 000005
【図４】
2011259336.tif 000006
【図５】
2011259336.tif 000007
【図６】
2011259336.tif 000008
【図７】
2011259336.tif 000009
【図８】
2011259336.tif 000010